(57)【要約】【課題】着用の仕方に特段の制約がなく、また身体以外の荷物などの防滴にも使用することができる簡易レインコートを提供する。【解決手段】簡易レインコート１０は、略正方形のレインコート本体部１２の四隅にそれぞれ把持部１４を備えるとともに、四辺にそれぞれ辺方向に延びる棒状の易変形性形状保持具１６を備える。簡易レインコート１０を適当な大きさに折りたたんで鞄などに入れておけば、これを取り出して広げるだけで着用が可能である。略正方形の簡易レインコート１０には上下左右の方向性がなく、広げた後に向きを調べる必要がないため、急な雨にも迅速に対応することができる。易変形性形状保持具１６にはその形状保持機能と自重によってレインコート本体部１２のしわを伸ばし、さらには捩れたり折れ曲がったりする不具合を防止する機能がある。【選択図】図１
0003168817.tif 000002
【実用新案登録請求の範囲】
【請求項１】
略正方形のレインコート本体部の四隅にそれぞれ把持部を備えるとともに、四辺にそれぞれ辺方向に延びる易変形性形状保持具を備えた、簡易レインコート。
【請求項２】
前記易変形性形状保持具が、前記把持部の近傍を除いた箇所に設けられている、請求項１に記載の簡易レインコート。
【考案の詳細な説明】
【技術分野】
【０００１】
本考案は、携帯性に優れた簡易レインコートに関する。
【背景技術】
【０００２】
外出先で急な雨に見舞われたことは誰しも経験のあることであろう。注意深い人であれば、普段より折り畳み傘やレインコートなどの雨具を鞄に忍ばせておくなど万全の準備を怠らないが、そのような人は必ずしも多くはない。折り畳み傘やレインコートを常に鞄に入れっぱなしにしておくという手もあるが、限られたスペースの一部を占有する上に意外と重く、そのうち取り出してしまいことも多い。
【０００３】
これまでにも雨具の小型軽量化を図り、携帯性を向上させるという試みは多くなされている。例えば特許文献１には、コンパクトに収納できる簡易レインコートが紹介されている。この簡易レインコートは、顔出し用の大き目の開口部が設けられ、頭からすっぽりと被って着用するという本格的なものであり、十分な防滴効果が期待できるものになっている。
【先行技術文献】
【特許文献】
【０００４】
【特許文献１】実開平６−８５３１３号公報
【考案の概要】
【考案が解決しようとする課題】
【０００５】
しかし、ちょっとした距離を移動する間だけ雨露を凌げればよいという程度の目的で簡易レインコートを使用したい場合、頭から被るタイプのものは着脱に手間がかかる上に見た目にも大げさであり、特に女性にとっては着用に抵抗があることが多いと思われる。また人によっては自分は多少濡れても鞄やコートなどは絶対に濡らしたくないという要望があり、そのような目的で簡易レインコートを使用することも考えられるが、大きな開口部が設けられたタイプのものはこのような使用には適していない。
【０００６】
そこで本考案は、着用の仕方に特段の制約がなく、また身体以外の荷物などの防滴にも使用することができる簡易レインコートを提供することを目的とする。
【課題を解決するための手段】
【０００７】
前記目的を達成するため、本発明は、略正方形のレインコート本体部の四隅にそれぞれ把持部を備えるとともに、四辺にそれぞれ辺方向に延びる易変形性形状保持具を備えた、簡易レインコートを提供する。
【０００８】
前記易変形性形状保持具が前記把持部の近傍を除いた箇所に設けられていることが好ましい。
【考案の効果】
【０００９】
本考案が提供する簡易レインコートには上下左右の方向性がないため、向きに関係なく着用することができる。また人体の特定の箇所に合わせた形状は採用しておらず、汎用性のある形状であるため、規定の着用の仕方というものはなく、用途に応じて自由にアレンジして使用することができる。易変形性形状保持具はその形状保持機能と自重によってレインコート本体部のしわを伸ばし、さらには捩れたり折れ曲がったりする不具合を防止する機能がある。易変形性形状保持具を把持部の近傍を除いた箇所に設ければ、把持部を握ったときの違和感や不快感もほとんどない。
【図面の簡単な説明】
【００１０】
【図１】簡易レインコートの構造図
【図２】簡易レインコートの第１の使用方法を示す図
【図３】簡易レインコートの第２の使用方法を示す図
【図４】簡易レインコートの第３の使用方法を示す図
【考案を実施するための形態】
【００１１】
本発明の実施の形態に係る簡易レインコートの構成および使用方法について説明する。図１において、簡易レインコート１０は、略正方形のレインコート本体部１２を主体とし、これに４つの把持部１４と易変形性形状保持具１６を備えた構成となっている。
【００１２】
レインコート本体部１２は、一般的なレインコートに使用されるものと同じ素材、例えばビニルやナイロン等を略正方形に成形したものである。四辺は補強のために折り返されて裁着されている。把持部１４は、レインコート本体部１２と同じ素材のものを手で握ることができる程度の大きさに成形したものであり、レインコート本体部１２の裏面の四隅に辺と４５度の角度をなす向きにそれぞれ縫着されている。
【００１３】
易変形性形状保持具１６は、小さな力で簡単に変形させることができ、力を除去した後も形状を保つことができる塑性変形素材で構成されている。具体的には、三井化学株式会社製の樹脂製品「テクノロート」（登録商標）を細長い棒状に加工したものを使用している。もちろん針金や番線に代表される金属系の塑性変形素材を使用することも可能であるが、樹脂系素材には、軽量で人体に対する物理的、化学的な刺激が少ないなどの利点がある。さらに「テクノロート」（登録商標）にはこれらの利点に加え、耐薬品性に優れ、また焼却時に有毒ガスが発生しないという特長がある。
【００１４】
易変形性形状保持具１６はレインコート本体部１２の辺の長さの１／２〜１／３程度の長さであり、長さ方向の中心が辺の中央になるように四辺に１つずつ備えられている。このためレインコート本体部１２の四隅の把持部１４の近傍には易変形性形状保持具１６が存在しない状態になっている。易変形性形状保持具１６はレインコート本体部１２の各辺の折り返しの箇所に内包されており、折り返し箇所の易変形性形状保持具１６の両側は易変形性形状保持具１６の位置を固定するために縫着されている。
【００１５】
次に簡易レインコート１０の代表的な使用方法について説明する。図２は、一辺の両端にある把持部１４を左右の手で握って頭からすっぽりと覆うように簡易レインコート１０を着用した例を示している。これは降雨量が比較的多いとき、また髪型やメイクなどを崩したくない場合などに適した使用方法である。簡易レインコート１０を適当な大きさに折りたたんで鞄などに入れておけば、これを取り出して広げるだけで着用が可能である。略正方形の簡易レインコート１０には上下左右の方向性がなく、広げた後に向きを調べる必要がないため、急な雨にも迅速に対応することができる。
【００１６】
図３に示す着用例は特に衣服を濡らしたくない場合に適した使用方法である。この場合も一辺の両端にある把持部１４を左右の手で握る点では先の方法と同じであるが、今度は首周りから両肩にかけての部分を包むように着用する。この方法では、頭まで覆う先の方法と比べてより広い面積で衣服を覆うことができる。
【００１７】
簡易レインコート１０を着用する際、易変形性形状保持具１６にはその形状保持機能と自重によってレインコート本体部１２のしわを伸ばし、さらには捩れたり折れ曲がったりする不具合を防止する機能がある。易変形性形状保持具１６は把持部１４の近傍を除いた箇所に設けられているため、握ったときの違和感や不快感もほとんどない。
【００１８】
図４は簡易レインコート１０で鞄を包んだ状態を示している。ここでは鞄の紐１８を４つの把持部１４に通し、レインコート本体部１２で鞄を底から上に向けて包み込むように覆っている。鞄の形状に合わせて易変形性形状保持具１６を変形させることでレインコート本体部１２を鞄によりフィットさせることができる。
【符号の説明】
【００１９】
１０      簡易レインコート
１２      レインコート本体部
１４      把持部
１６      易変形性形状保持具
【図１】
0003168817.tif 000003
【図２】
0003168817.tif 000004
【図３】
0003168817.tif 000005
【図４】
0003168817.tif 000006